(57)【要約】【課題】小切手を読み取る読取装置によって、小切手とは異なるサイズの読取対象物をも読み取り可能にする。【解決手段】複合処理装置１は、読取対象の小切手４を搬送し、小切手４の搬送路上に設けられた表面ＣＩＳユニット４７および裏面ＣＩＳユニット４８により小切手４の複数面を読み取り、表面ＣＩＳユニット４７および裏面ＣＩＳユニット４８により読み取った少なくとも小切手４の複数面を含む読取画像データをメモリー８０に記憶する読取装置を制御し、小切手４を読み取る小切手処理モードと、小切手４よりも搬送方向のサイズが大きいシート６を搬送手段により搬送して読み取る長尺シート処理モードとを切り替えて実行し、長尺シート処理モードでは、長尺のシート６の一面の読取画像データをメモリー８０に記憶させる。【選択図】図１
2013074478.tif 000002
【特許請求の範囲】
【請求項１】
読取対象のシートを搬送する搬送手段と、
前記シートの搬送路上に設けられ、異なる複数の照射光の光源を有し前記搬送手段により搬送されるシートの複数面を読み取り可能な読取手段と、
前記読取手段により読み取られた少なくとも複数の前記照射光による前記シートの複数面を含む読取画像データを記憶可能なメモリーと、
前記シートは小切手であり前記小切手を読み取る小切手処理モードと、前記小切手よりも搬送方向のサイズが大きいシートを前記搬送手段により搬送して読み取る長尺シート処理モードとを切り替えて実行し、前記長尺シート処理モードでは、少なくとも一の前記照射光を照射し前記長尺のシートの少なくとも一面の読取画像データを前記メモリーに記憶させる読取制御手段と、
を備えることを特徴とする読取装置。
【請求項２】
前記読取手段は、前記小切手および前記長尺のシートの複数面を、異なる複数の前記照射光の選択により、フルカラー、グレースケール、赤外線読み取り、および紫外線読み取りのうち少なくとも複数の読取方式で読み取り可能に構成され、
前記メモリーは、前記小切手の複数面を、前記読取手段により前記複数の読取方式で読み取った読取画像データを記憶可能な記憶領域を有することを特徴とする請求項１記載の読取装置。
【請求項３】
外部の装置と接続可能であり、前記読取制御手段は、前記外部の装置から受信したコマンドに従って、前記小切手処理モードと前記長尺シート処理モードとを切り替えることを特徴とする請求項１または２記載の読取装置。
【請求項４】
前記搬送手段による搬送を停止させる操作を行うための操作手段を備え、
前記読取制御手段は、前記長尺シート処理モードの実行時には前記操作手段による操作を有効として、前記操作手段の操作に応じて前記搬送手段による搬送を停止させることを特徴とする請求項１から３のいずれかに記載の読取装置。
【請求項５】
前記小切手に磁気的に記録された情報を読み取る磁気読取手段と、
前記磁気読取手段により読み取られた磁気読取データを記憶する磁気読取データメモリーと、
前記小切手に記録を行う記録手段と、
前記記録手段により記録するデータを記憶する記録データメモリーとを備え、
前記読取制御手段は、前記長尺シート処理モードでは、前記長尺のシートの一面の読取画像データを、前記磁気読取データメモリーおよび前記記録データメモリーの少なくともいずれかに対して、前記読取画像データを記憶させることを特徴とする請求項１から４のいずれかに記載の読取装置。
【請求項６】
前記読取制御手段は、前記小切手処理モードと前記長尺シート処理モードでは、前記読取手段の読取解像度、および、前記搬送手段による搬送速度の少なくともいずれかを変更することを特徴とする請求項１から５のいずれかに記載の読取装置。
【請求項７】
読取対象のシートを搬送し、前記シートの搬送路上に設けられた異なる複数の照射光の光源を有する読取手段により前記シートの複数面を読み取り、前記読取手段により読み取った少なくとも複数の前記照射光による前記シートの複数面を含む読取画像データをメモリーに記憶可能な読取装置の制御方法であって、
前記シートは小切手であり前記小切手を読み取る小切手処理モードと、前記小切手よりも搬送方向のサイズが大きいシートを前記搬送手段により搬送して読み取る長尺シート処理モードとを切り替えて実行し、前記長尺シート処理モードでは、少なくとも一の前記照射光を照射し前記長尺のシートの少なくとも一面の読取画像データを前記メモリーに記憶させること、
を特徴とする読取装置の制御方法。
【発明の詳細な説明】
【技術分野】
【０００１】
本発明は、小切手を読み取る読取装置、および、読取装置の制御方法に関する。
【背景技術】
【０００２】
従来、小切手等の読取対象物の表裏両面を読み取って画像データを取り込む装置が知られている（例えば、特許文献１参照）。この種の装置は、通常、小切手の表面と裏面を読み取るスキャナー等の読取手段と、読み取られた画像データを記憶するメモリーとを備えている。
【先行技術文献】
【特許文献】
【０００３】
【特許文献１】特開２００５−２６９０５７号公報
【発明の概要】
【発明が解決しようとする課題】
【０００４】
ところで、上記のような装置が小切手のサイズに合わせて構成されている場合、小切手とは異なるサイズの印刷物等を読取対象物として読み取ることは容易ではなかった。すなわち、読取対象物のサイズが異なると、読取画像データの容量が異なるため、小切手以外の読取対象物を読み取った場合に、画像データを記憶するメモリーの記憶領域の構成や記憶領域毎の容量が十分であるかどうか容易に判断できない。このため、機械的には上記装置に読み取り可能なサイズの読取対象物であっても、読み取ることができない可能性があり、そのような読取対象物をも読み取り可能とした装置に対するニーズがあった。
本発明は、上述した事情に鑑みてなされたものであり、小切手を読み取る読取装置によって、小切手とは異なるサイズの読取対象物をも読み取り可能にすることを目的とする。
【課題を解決するための手段】
【０００５】
上記目的を達成するために、本発明は、読取対象のシートを搬送する搬送手段と、前記シートの搬送路上に設けられ、異なる複数の照射光の光源を有し前記搬送手段により搬送されるシートの複数面を読み取り可能な読取手段と、前記読取手段により読み取られた少なくとも複数の前記照射光による前記シートの複数面を含む読取画像データを記憶可能なメモリーと、前記シートは小切手であり前記小切手を読み取る小切手処理モードと、前記小切手よりも搬送方向のサイズが大きいシートを前記搬送手段により搬送して読み取る長尺シート処理モードとを切り替えて実行し、前記長尺シート処理モードでは、少なくとも一の前記照射光を照射し前記長尺のシートの少なくとも一面の読取画像データを前記メモリーに記憶させる読取制御手段と、を備えることを特徴とする。
本発明によれば、異なる複数の照射光により小切手を読み取って複数面の画像データを記憶可能な構成とした装置によって、メモリーを効率的に活用して、少なくとも一の照射光を照射し小切手より搬送方向のサイズが大きいシートの少なくとも一面の読み取りが可能となる。
【０００６】
また、本発明は、上記読取装置において、前記読取手段は、前記小切手および前記長尺のシートの複数面を、異なる複数の前記照射光の選択により、フルカラー、グレースケール、赤外線読み取り、および紫外線読み取りのうち少なくとも複数の読取方式で読み取り可能に構成され、前記メモリーは、前記小切手の複数面を、前記読取手段により前記複数の読取方式で読み取った読取画像データを記憶可能な記憶領域を有することを特徴とする。
本発明によれば、異なる複数の照射光の選択により、小切手をフルカラー（赤色（Ｒ）ＬＥＤ、緑色（Ｇ）ＬＥＤ、青色（Ｂ）ＬＥＤによりそれぞれ照射）、グレースケール（赤色（Ｒ）ＬＥＤ、緑色（Ｇ）ＬＥＤ、青色（Ｂ）ＬＥＤにより照射）、赤外線読み取り（赤外線ＬＥＤ照射）、および紫外線読み取り（紫外線ＬＥＤ照射）のうち少なくとも複数の読取方式で読み取ることが可能であり、かつ、小切手よりも搬送方向のサイズが大きいシートの読み取りが可能となる。また、複数の読取方式に対応することで大容量となる小切手の読取画像データを記憶可能に構成することで、小切手よりも搬送方向のサイズが大きいシートの読取画像を記憶することが可能となり、より大きなシートを読み取ることができる。
ここで、読取手段は、赤色（Ｒ）ＬＥＤ、緑色（Ｇ）ＬＥＤ、青色（Ｂ）ＬＥＤ、赤外線ＬＥＤ、紫外線ＬＥＤをシートの表面用と裏面用にそれぞれ備えており、読取装置は、シートを一方向に搬送しながら、それぞれの照射光を選択的にシートに照射して、複数の読取画像データを、例えばＲの表面など、面単位で取得し記憶することが可能な構成としてもよい。
この場合、小切手を読み取る小切手処理モードでは、異なる複数の照射光の選択により、赤色（Ｒ）ＬＥＤ、緑色（Ｇ）ＬＥＤ、青色（Ｂ）ＬＥＤをそれぞれ照射して得られた３面のフルカラー用の読取画像データの取得と記憶、赤色（Ｒ）ＬＥＤ、緑色（Ｇ）ＬＥＤ、及び青色（Ｂ）ＬＥＤを照射して得られた１面のグレースケール用の読取画像データの取得と記憶、赤外線ＬＥＤを照射して得られた１面の赤外線用の読取画像データの取得と記憶、紫外線ＬＥＤを照射して得られた１面の紫外線用の読取画像データの取得と記憶が、表面と裏面の面単位でそれぞれ可能であり、またこれらを組み合わせて取得し記憶することも可能な構成となる。
また、この場合、小切手よりも搬送方向のサイズが大きいシートを読み取る長尺シート処理モードでは、小切手に比べ一面当りの読取画像データが多くなるが、少なくとも一の照射光により少なくとも一面の読取画像データを取得して記憶することにより、小切手で使用するメモリーの範囲内に読取画像データを記憶可能となる。この場合、一面の読取画像データを取得すればよいので、赤色（Ｒ）ＬＥＤ、緑色（Ｇ）ＬＥＤ、青色（Ｂ）ＬＥＤ、赤外線ＬＥＤ、及び紫外線ＬＥＤのうちいずれか一つの照射光を照射して１面の読取画像データを取得するか、赤色（Ｒ）ＬＥＤ、緑色（Ｇ）ＬＥＤ、及び青色（Ｂ）ＬＥＤを照射して１面のグレースケールを取得するようにすればよい。
【０００７】
また、本発明は、上記読取装置において外部の装置と接続可能であり、前記読取制御手段は、前記外部の装置から受信したコマンドに従って、前記小切手処理モードと前記長尺シート処理モードとを切り替えることを特徴とする。
本発明によれば、外部の装置によって小切手処理モードと長尺シート処理モードとを容易に切り替えさせることができる。
【０００８】
また、本発明は、上記読取装置において、前記搬送手段による搬送を停止させる操作を行うための操作手段を備え、前記読取制御手段は、前記長尺シート処理モードの実行時には前記操作手段による操作を有効として、前記操作手段の操作に応じて前記搬送手段による搬送を停止させることを特徴とする。
本発明によれば、長尺シート処理モードにおいては、操作に応じて搬送を停止させることができるので、シートのジャム等の搬送トラブルが発生した場合に速やかに対応し、トラブル発生時のシートの損傷等を回避できる。また、搬送方向のサイズが大きいシートでは搬送トラブルの影響が大きくなり易いため、長尺シート処理モードで搬送を停止させる操作を有効にすることにより、効果的に搬送トラブルへの対処を可能とする。
【０００９】
また、本発明は、上記読取装置において、前記小切手に磁気的に記録された情報を読み取る磁気読取手段と、前記磁気読取手段により読み取られた磁気読取データを記憶する磁気読取データメモリーと、前記小切手に記録を行う記録手段と、前記記録手段により記録するデータを記憶する記録データメモリーとを備え、前記読取制御手段は、前記長尺シート処理モードでは、前記長尺のシートの一面の読取画像データを、前記磁気読取データメモリーおよび前記記録データメモリーの少なくともいずれかに対して、前記読取画像データを記憶させることを特徴とする。
本発明によれば、磁気読取データメモリーと、記録データメモリーとを活用して、搬送方向のサイズが大きいシートの読取画像データを記憶するので、メモリーを効率よく活用し、より大きいサイズのシートの読み取りを可能とすることができる。
【００１０】
また、本発明は、上記読取装置において、前記読取制御手段は、前記小切手処理モードと前記長尺シート処理モードでは、前記読取手段の読取解像度、および、前記搬送手段による搬送速度の少なくともいずれかを変更することを特徴とする。
本発明によれば、読取解像度および搬送速度のいずれかを変更することで、小切手の読み取りに適した装置構成においても、大きいサイズのシートをスムーズに読み取ることができる。
【００１１】
また、上記目的を達成するために、本発明は、読取対象のシートを搬送し、前記シートの搬送路上に設けられた異なる複数の照射光の光源を有する読取手段により前記シートの複数面を読み取り、前記読取手段により読み取った少なくとも複数の前記照射光による前記シートの複数面を含む読取画像データをメモリーに記憶可能な読取装置の制御方法であって、前記シートは小切手であり前記小切手を読み取る小切手処理モードと、前記小切手よりも搬送方向のサイズが大きいシートを前記搬送手段により搬送して読み取る長尺シート処理モードとを切り替えて実行し、前記長尺シート処理モードでは、少なくとも一の前記照射光を照射し前記長尺のシートの少なくと一面の読取画像データを前記メモリーに記憶させることを特徴とする。
本発明の制御方法を実行することにより、小切手を読み取って複数面の画像データを記憶可能な構成とした装置によって、メモリーを効率的に活用して、小切手より搬送方向のサイズが大きいシートの読み取りが可能となる。
【発明の効果】
【００１２】
本発明によれば、小切手を読み取って複数面の画像データを記憶する構成とした装置によって、メモリーを効率的に活用して、小切手より搬送方向のサイズが大きいシートの読み取りが可能となる。
【図面の簡単な説明】
【００１３】
【図１】本実施の形態に係る複合処理装置の外観斜視図である。
【図２】複合処理装置の外装内部に収容されている本体の構成を示す平面図である。
【図３】複合処理装置とホストコンピューターとを接続して構成される読取システムの機能的構成を示すブロック図である。
【図４】メモリーの記憶領域の構成と読取処理の様子を示す説明図である。
【図５】設定値テーブルの構成を模式的に示す図である。
【図６】複合処理装置の動作を示すフローチャートである。
【図７】複合処理装置の動作を示すフローチャートである。
【図８】複合処理装置の動作を示すフローチャートである。
【発明を実施するための形態】
【００１４】
以下、図面を参照して本発明の実施形態について説明する。
図１は、本実施の形態に係る複合処理装置１の外観斜視図である。
複合処理装置１は、読取対象物であるシート状の小切手や帳票類に対し、この読取対象物に記録された磁気インク文字の読み取り、読取対象物の両面の光学的読み取り、及び、当該読取対象物への文字等の記録を行う読取装置である。また、複合処理装置１は、クレジットカード等のカード型の媒体に記録された磁気情報を読み取るリーダーとしての機能、及び、感熱ロール紙に画像を記録して切断することにより、画像が記録された所定の紙片を発行する機能を備えている。
【００１５】
本実施形態では、読取対象物として小切手４を処理する場合を例に挙げて説明する。小切手４は、図１に示すように、所定の模様や装飾が施されたシート（用紙）に金額、振出人、通し番号、サインなどが印字または記載された帳票である。これら金額、振出人、通し番号、サインなどは表面４ａにあり、裏面４ｂには裏書き欄が設けられている。この裏書き欄には、後述するインクジェットヘッド１０によって、裏書きに係る所定の文字または画像が記録される。また、表面４ａには小切手４の長辺方向に延びる磁気インク文字列４ｃが形成されている。磁気インク文字列４ｃは、磁気インクで印刷された複数の磁気インク文字（ＭＩＣＲ文字）が並んだものであり、磁気的または光学的に読み取ることができる。小切手４の短辺方向及び長辺方向のサイズは規格化されているものの、多様な規格が存在するため、実際には様々なサイズがある。複合処理装置１では、一般的な小切手４のサイズをほぼ包含し得る最大サイズを規定し、この最大サイズ内の小切手４であれば処理できる。
【００１６】
また、本実施形態の複合処理装置１は、読取対象物として、小切手４よりも長尺のシート６（図４（Ｂ））をスキャンして読取画像データを取得する機能を有する。小切手４の長さ、すなわち搬送方向のサイズは、上記のように規格化されており、一般的には２００ｍｍ前後である。これに対し、複合処理装置１が処理するシート６としては、例えば、最大で６フィート（約１８３ｃｍ）程度の長さのものまで処理できる。
【００１７】
複合処理装置１は、本体下部を覆う下部ケース１１、及び下部ケース１１に被せられるカバー１２からなる外装を有し、外装の内部に複合処理装置１の本体１３が収容されている。複合処理装置１の前面には、小切手４を挿入する挿入口１４が開口しており、挿入口１４の奥には複数の小切手４を積層して貯留できるストッカー１５が設けられている。このストッカー１５は、前面側へ向かって引き出し自在に構成されており、ストッカー１５に貯留すべき小切手４のサイズに応じてストッカー１５を引き出した上で、このストッカー１５に小切手４を貯留させることが可能である。
また、カバー１２には、上面視で略Ｕ字形状に、小切手４およびシート６の搬送路Ｗとなるスリット１８が形成され、スリット１８は複合処理装置１の前面側に設けられたポケット１９に達している。ストッカー１５に貯留された小切手４は、後述するように１枚ずつ複合処理装置１の内部に取り込まれ、スリット１８を通る間に処理されて、処理後の小切手４はポケット１９に排出される。ポケット１９には複数の小切手４を溜めることができる。
図１に示すように、ストッカー１５の側方には、磁気カードリーダーユニット２０が設けられている。磁気カードリーダーユニット２０は、カバー１２に形成されたカードスリット２１と、このカードスリット２１に対応して設けられたＭＣＲヘッド２２（図３）とを備え、カードスリット２１を通るカード類に磁気的に記録された情報をＭＣＲヘッド２２によって読み取る。
【００１８】
また、複合処理装置１において上記の長尺のシート６を読み取る場合には、シート６の全体をストッカー１５に納めることは難しいため、複合処理装置１を操作するオペレーターがシート６を手に持ち、先端をストッカー１５に納め、シート６の処理が完了されるまで、オペレーターが適宜シート６を手で支える。シート６は、以下に説明する複合処理装置１の本体１３により、小切手４と同様にストッカー１５から内部に取り込まれて搬送される。
【００１９】
図２は、複合処理装置１の外装内部に収容されている本体１３の構成を示す平面図である。ストッカー１５の一側面にはホッパー２５が設けられている。このホッパー２５は、ホッパー駆動モーター２６（図３）により、図中矢印方向に回動可能に構成されており、ストッカー１５に貯留された小切手４を他方の側面側に付勢する。シート６を処理する場合、ホッパー２５は、およびストッカー１５内に差し入れられたシート６の先端部を、小切手４と同様に他方の側面側に付勢する。その後のシート６の搬送は、小切手４と同様に行われる。
【００２０】
ストッカー１５の他方の側面には、後述するＡＳＦ（Automatically Sheet Feeder）モーター２７（図３）により駆動されるピックアップローラー２８が配置されており、ホッパー２５がピックアップローラー２８側に回動すると、この回動に応じてストッカー１５内の小切手４のうち１枚がピックアップローラー２８に付勢され、当該ローラーに接触して、当該ローラーの回転に応じて搬送路Ｗに引き込まれる。
ストッカー１５の奥には、一対のローラーで構成されるＡＳＦローラー２９が配置されている。ＡＳＦローラー２９の２つのローラーは、搬送路Ｗの両側に配置され、一方は後述するＡＳＦモーター２７の動力により回転し、他方のローラーは従動ローラーである。ピックアップローラー２８に接した小切手４はＡＳＦローラー２９に挟まれて、スリット１８内を下流側へ搬送される。
【００２１】
ストッカー１５の所定の位置には、ＡＳＦ用紙検出器３１（図３）が設けられている。ＡＳＦ用紙検出器３１は、例えば透過型光センサーで構成され、ストッカー１５における小切手４の有無を検出する。
また、ストッカー１５において、ホッパー２５の待機位置には、ホッパー位置検出器３２（図３）が設けられている。ホッパー位置検出器３２は、例えば透過型光センサーで構成され、ホッパー２５が待機位置に位置しているか否かを検出する。
ＡＳＦローラー２９の下流側には、小切手４の表面４ａに接して磁気インク文字列４ｃ（図１）を磁気的に読み取るＭＩＣＲ（Magnetic Ink Character Recognition）ヘッド３５が配置されている。ＭＩＣＲヘッド３５（磁気読取手段）には、ＭＩＣＲローラー３６が対向配置される。ＭＩＣＲローラー３６はＭＩＣＲヘッド３５側に付勢されており、小切手４をＭＩＣＲヘッド３５に押しつけながら回転して、小切手４を、ＭＩＣＲ文字の読み取りに適した定速で搬送する。ＭＩＣＲヘッド３５の上流側には、ＡＳＦローラー２９により繰り出された小切手４をＭＩＣＲヘッド３５に案内する、一対のローラーからなるアシストローラー３７が配置されている。
【００２２】
また、搬送路Ｗ上においてアシストローラー３７とＭＩＣＲヘッド３５との間には、用紙長検出器３８が配置されている。用紙長検出器３８は、例えば反射型光センサーで構成され、搬送路Ｗ上を通る小切手４の検出位置における有無を検出することにより、小切手４の先端及び後端を検出する。用紙長検出器３８の検出値は後述する制御部７０により取得され、この検出値の変化に基づいて小切手４の長さが求められる。
搬送路Ｗ上でＭＩＣＲヘッド３５の下流側には、搬送路Ｗを挟んで対向する一対のローラーを有する第１搬送ローラー４０が設けられ、さらに、この第１搬送ローラー４０の下流側には第２搬送ローラー４１が設けられている。これら第１搬送ローラー４０、及び、第２搬送ローラー４１は、搬送モーター４２（図３）によって回転駆動されるローラーであり、これらローラーによって小切手４はインクジェットプリンターユニット４４へ搬送される。
インクジェットプリンターユニット４４は、インクジェットヘッド１０（記録手段）を備えている。インクジェットヘッド１０は、本体１３の前部に収容されているインクカートリッジ４５からインクの供給を受けて、小切手４にインクを吐出するインクジェット方式の記録ヘッドである。本実施形態においてインクジェットヘッド１０は小切手４の裏面４ｂに、いわゆる裏書きと呼ばれる文字や画像を記録する。
インクジェットヘッド１０と、第２搬送ローラー４１との間には、中間検出器４６が設けられている。中間検出器４６は、例えば反射型光センサーで構成され、検出位置における小切手４の有無を検出する。
【００２３】
インクジェットヘッド１０の下流には、小切手４およびシート６を光学的に読み取るＣＩＳ（Contact Image Sensor）ユニットが配置されている。このＣＩＳユニット（読取手段）は、小切手４の表面４ａおよびシート６の表面６ａを読み取る表面ＣＩＳユニット４７と、小切手４の裏面４ｂを読み取る裏面ＣＩＳユニット４８とを有し、このＣＩＳユニットによって小切手４の両面を光学的に読み取り可能である。また、表面ＣＩＳユニット４７または裏面ＣＩＳユニット４８のいずれか一方のみを用いて、小切手４およびシート６の表面のみ、或いは裏面のみを読み取ることも可能である。
【００２４】
表面ＣＩＳユニット４７および裏面ＣＩＳユニット４８は、それぞれ、読取時に読取対象物である小切手４またはシート６に光を照射する光源（図示略）と、その反射光を検出するイメージセンサー（図示略）と、イメージセンサーの検出値を読取画像データとして出力する制御回路（図示略）とを備えている。光源としては、赤色光（Ｒ）、緑色光（Ｇ）、青色光（Ｂ）の光をそれぞれ照射する３色のＬＥＤと、赤外光（ＩＲ）を照射する赤外ＬＥＤおよび紫外光（ＵＶ）を照射する紫外ＬＥＤを備えて構成される。また、イメージセンサーはＣＭＯＳまたはＣＣＤを備え、赤色光（Ｒ）、緑色光（Ｇ）、青色光（Ｂ）、赤外光（ＩＲ）、紫外光（ＵＶ）を検出する。
これにより、表面ＣＩＳユニット４７および裏面ＣＩＳユニット４８を用いて、それぞれの照射光を選択的にシートに照射して、複数の読取画像データを、例えばＲの表面など、面単位で読取画像データを取得してメモリー８０に記憶することが可能である。
具体的には、それぞれ、赤色（Ｒ）ＬＥＤ、緑色（Ｇ）ＬＥＤ、及び青色（Ｂ）ＬＥＤをそれぞれ照射してＲＧＢフルカラーの読み取りを行うことができ、さらに、赤色（Ｒ）ＬＥＤ、緑色（Ｇ）ＬＥＤ、及び青色（Ｂ）ＬＥＤを照射するグレースケール読み取り、赤外光（ＩＲ）ＬＥＤを照射する赤外線による読み取り、及び、紫外光（ＵＶ）にＬＥＤを照射する紫外線による読み取りを行うことができる。これら各々の読み取りは組み合わせて実行することが可能であって、例えば１回の小切手４に対するスキャン時に、フルカラーの読み取りと赤外光（ＩＲ）による読み取りとを合わせて実行し、フルカラーの読取画像データと赤外光による読取画像データとを得ることができる。
なお、表面ＣＩＳユニット４７および裏面ＣＩＳユニット４８は、赤色ＬＥＤ、緑色ＬＥＤ、及び青色ＬＥＤに加え、赤外ＬＥＤと紫外ＬＥＤのいずれか一方のみを備えた構成としてもよく、この場合、イメージセンサーはＬＥＤの構成に合わせて適宜選択される。
【００２５】
表面ＣＩＳユニット４７と裏面ＣＩＳユニット４８は搬送路Ｗを挟んで対向配置されており、これらユニットの上流側には第１ＣＩＳローラー５０が配置され、また、下流側には第２ＣＩＳローラー５１が配置されている。これら第１ＣＩＳローラー５０、及び、第２ＣＩＳローラー５１は、搬送モーター４２によって回転駆動されるローラーであり、これらローラーによってＣＩＳユニットによって読み取り中の小切手４が安定して搬送される。
第２ＣＩＳローラー５１の下流には、排出検出器５２が設けられている。排出検出器５２は、例えば反射型光センサーで構成され、検出位置における小切手４の有無を検出する。
【００２６】
表面ＣＩＳユニット４７、裏面ＣＩＳユニット４８の下流側には上述したポケット１９が設けられている。ポケット１９は、メインポケット１９ａと、サブポケット１９ｂとに区画されており、スリット１８が分岐して、それぞれのポケット１９に繋がっている。これらメインポケット１９ａ、及び、サブポケット１９ｂには、それぞれ複数の小切手４を収容できる。
そして、スリット１８が分岐した位置には、小切手４を排出すべきポケット１９を、メインポケット１９ａとサブポケット１９ｂとのいずれかに切り替える切替板５４が配置されている。切替板５４は、メインポケット１９ａに繋がる経路とサブポケット１９ｂに繋がる経路のいずれか一方を塞ぐことで小切手４を他方に案内するガイドであり、切替板駆動モーター５５によって駆動される。切替板５４からメインポケット１９ａに繋がる経路には排出ローラー５６が設けられ、また、切替板５４からサブポケット１９ｂに繋がる経路には排出ローラー５７が設けられており、小切手４は、これらローラーにより切替板５４に案内されたいずれかのポケット１９にスムーズに排出される。
後述するように、複合処理装置１は、ＭＩＣＲヘッド３５による磁気インク文字列４ｃの読み取り結果に基づいて、小切手４が正しくセットされていると判別した場合は、小切手４をメインポケット１９ａに排出し、一方、小切手４が正しくセットされていないと判別した場合は、サブポケット１９ｂに排出する。
【００２７】
また、図１及び図２に示すように、複合処理装置１の中央部には、画像が記録された紙片を発行するサーマルプリンターユニット６０が設けられている。
図１に示すように、サーマルプリンターユニット６０は、ユニット本体の上部を覆うプリンターカバー６１を備えている。このプリンターカバー６１は、カバー１２に対して開閉自在に取り付けられており、プリンターカバー６１を開くと、感熱ロール紙を収容可能な空間であるロール紙収容部６２（図３）が露出し、感熱ロール紙の補充や交換が可能となる。プリンターカバー６１には、排紙口６３が形成されており、ロール紙収容部６２に収容された感熱ロール紙は、排紙口６３を介して、排出される。
サーマルプリンターユニット６０は、ロール紙収容部６２に収容した感熱ロール紙を繰り出して搬送路上を搬送させるローラー状のプラテン（図示略）と、プラテンに対向配置されたサーマルヘッド６５（図３）と、搬送方向に対し直交する方向に感熱ロール紙を切断するカッターユニット６６とを備えている。紙片の発行に際し、サーマルプリンターユニット６０は、プラテンを駆動して感熱ロール紙を搬送方向に搬送しつつ、サーマルヘッド６５により感熱ロール紙に画像を記録し、カッターユニット６６によって所定の位置で感熱ロール紙を切断することにより、紙片を発行する。
【００２８】
図３は、複合処理装置１とホストコンピューター５（外部の装置）とを接続して構成される読取システム８の機能的構成を示すブロック図である。
複合処理装置１は、複合処理装置１全体を制御するＣＰＵ、ＲＡＭ、フラッシュＲＯＭ等により構成される制御部７０と、インクジェットプリンターユニット４４及びサーマルプリンターユニット６０を制御するプリンター制御部７１と、ヘッド駆動回路７２と、モータードライバー７３と、読取制御回路７４と、センサー駆動回路７５と、インターフェース部７６とを有し、これらの各部は相互に通信可能に接続されている。
【００２９】
制御部７０は、フラッシュＲＯＭに記憶されている制御プログラムをＣＰＵにより読み出して実行することにより、複合処理装置１の各部を制御する。
プリンター制御部７１は、制御部７０の制御の下、ヘッド駆動回路７２を介してインクジェットヘッド１０に駆動電流を供給し、小切手４への記録を行う。また、プリンター制御部７１は、制御部７０の制御の下、ヘッド駆動回路７２を介してサーマルヘッド６５に駆動電流を供給し、感熱ロール紙への記録を行う。
モータードライバー７３は、ホッパー駆動モーター２６に接続され、制御部７０の制御に従ってホッパー２５を回動させる。
また、モータードライバー７３は、ＡＳＦモーター２７、搬送モーター４２、及び、切替板駆動モーター５５に接続され、これら各モーターに駆動電流や駆動パルスを出力して、制御部７０の制御に従い各モーターを動作させる。
このように、複合処理装置１は、制御部７０およびモータードライバー７３の制御により、ＡＳＦモーター２７および搬送モーター４２を駆動することによって、ＡＳＦローラー２９、ＭＩＣＲローラー３６、第１搬送ローラー４０および第２搬送ローラー４１を回転させて、搬送路Ｗ上で小切手４およびシート６を搬送する。これらＡＳＦモーター２７、搬送モーター４２、ＡＳＦローラー２９、ＭＩＣＲローラー３６、第１搬送ローラー４０および第２搬送ローラー４１は、モータードライバー７３とともに搬送手段を構成する。
【００３０】
読取制御回路７４は、ＭＣＲヘッド２２、ＭＩＣＲヘッド３５、表面ＣＩＳユニット４７、及び、裏面ＣＩＳユニット４８に接続されている。読取制御回路７４は、制御部７０の制御に従って、カードスリット２１（図１）にカード類が通される際にＭＣＲヘッド２２によって磁気情報を読み取らせ、ＭＣＲヘッド２２が出力する読取信号をデジタル化して制御部７０に出力する。同様に、読取制御回路７４は、制御部７０の制御に従ってＭＩＣＲヘッド３５によって磁気情報を読み取らせ、ＭＩＣＲヘッド３５が出力する読取信号をデジタル化して制御部７０に出力する。また、読取制御回路７４は、制御部７０の制御に従って、表面ＣＩＳユニット４７及び裏面ＣＩＳユニット４８に、小切手４の表面４ａ及び裏面４ｂの読み取りを実行させる。この際、表面ＣＩＳユニット４７及び裏面ＣＩＳユニット４８の各々から出力される信号をデジタルデータ化し、制御部７０に出力する。
センサー駆動回路７５は、ＡＳＦ用紙検出器３１、ホッパー位置検出器３２、用紙長検出器３８、中間検出器４６、及び、排出検出器５２に接続され、これらの各検出器に電流を供給して、所定周期で出力値を取得し、取得した出力値をデジタルデータに変換して制御部７０に出力する。
インターフェース部７６は、ホストコンピューター５に対して有線または無線で接続され、制御部７０の制御に従って、ホストコンピューター５との間で制御データを含む各種データを送受信する。
【００３１】
また、制御部７０には、メモリー８０が接続されている。メモリー８０は、プリンター制御部７１の制御により印刷されるデータや読取制御回路７４の制御によって読み取られた読取画像データ等を一時的に保持するバッファーメモリーとして使用される揮発性のメモリーである。このメモリー８０は、制御部７０が備えるＲＡＭと一体のものとしてもよいし、具体的な構成は特に限定されない。
【００３２】
また、複合処理装置１は、動作中に搬送手段の動作を停止させるための停止スイッチ（ＳＷ）７８を備えている。停止スイッチ７８（操作手段）は、例えば複合処理装置１の外装に露出するように配置され、ボタン等の操作子を備えており、この操作子の操作をセンサー駆動回路７５が検出可能に構成されている。停止スイッチ７８は、独立した専用のスイッチとして設けてもよいし、フィードスイッチやインクジェットヘッド１０のクリーニング動作を指示するクリーニングスイッチ等の他のスイッチと兼用のスイッチとして設けてもよい。
制御部７０は、シート６の搬送中に停止スイッチ７８の操作を検出すると、この操作に応じて速やかにＡＳＦモーター２７および搬送モーター４２の動作を停止させる。複合処理装置１を操作するオペレーターは、シート６の搬送中に、ジャムやシート６の曲がり等の搬送異常または搬送異常を予見させる事象を発見した場合、停止スイッチ７８を操作してシート６の搬送を即座に停止させることができ、これにより搬送異常によるシート６の汚損等を防止できる。
【００３３】
制御部７０は、読取制御手段として機能し、小切手４を処理する動作モードと、シート６を処理する動作モードとを切り替えて実行する。この切替は、図５を参照して後述するように、ホストコンピューター５から動作モードの切替を指示するコマンドを受信した場合に実行する。小切手４を処理する動作モードである小切手処理モードでは、上述のように、小切手４に対してＭＩＣＲヘッド３５による磁気インク文字列４ｃの読み取り、インクジェットヘッド１０による印刷、および表面ＣＩＳユニット４７および裏面ＣＩＳユニット４８による光学読み取りを行う。ここで、小切手処理モードは、少なくとも表面ＣＩＳユニット４７および裏面ＣＩＳユニット４８による小切手４の読み取りを行えばよく、他の印刷やＭＩＣＲ文字の読取動作を行わないようにすることもできる。
これに対し、シート６を読み取る長尺シート処理モードでは、シート６を搬送して、表面ＣＩＳユニット４７および裏面ＣＩＳユニット４８によって表面６ａを読み取り、読取画像データを取得する。この長尺シート処理モードでは、インクジェットヘッド１０による印刷等を合わせて行うことも可能である。
【００３４】
図４は、メモリー８０の記憶領域の構成と読取処理の様子を示す説明図であり、（Ａ）は小切手処理モードで小切手４を読み取る動作と、この動作モードにおけるメモリー８０の使用状態とを模式的に示す図であり、（Ｂ）は長尺シート処理モードでシート６を読み取る動作と、この動作モードにおけるメモリー８０の使用状態とを模式的に示す図である。
図４（Ａ）に示すように、小切手処理モードでは、メモリー８０の記憶領域が、読取画像データを記憶する記憶領域と、ＭＩＣＲバッファー８９と、プリントバッファー９０とに区分される。読取画像データを記憶する記憶領域は、さらに、ブロック８１〜８８の８個の記憶ブロックに分けられている。ブロック８１〜８８は、それぞれ、小切手４の一面の読取画像データを格納する記憶容量を有し、具体的には、複合処理装置１で使用可能な小切手４のうち最大サイズの小切手４を、最もデータ量が大きい条件で読み取った場合の、表面４ａまたは裏面４ｂの一面分の読取画像データを格納するのに十分な容量となっている。最もデータ量が大きい条件とは、例えば、解像度を最高解像度に設定し、フルカラー読み取りとＵＶまたはＩＲ読み取りを組み合わせる場合が相当する。
メモリー８０の８個のブロック８１〜８８は、それぞれ、小切手４の表面４ａと裏面４ｂのいずれか一面の読取画像データを格納するので、メモリー８０全体としては４枚の小切手４の両面の読取画像データを格納できる。
【００３５】
小切手処理モードにおいて、制御部７０は、上述したようにストッカー１５にセットされた複数の小切手４を連続して処理する。この場合、図４（Ａ）に示すように表面ＣＩＳユニット４７と裏面ＣＩＳユニット４８の間を連続して搬送される小切手４の読取画像データは、順次、メモリー８０のブロック８１〜８８に記憶される。すなわち、１枚目の小切手４の読み取りが開始されると、表面ＣＩＳユニット４７が出力する表面４ａの読取画像データはブロック８１に格納され、裏面ＣＩＳユニット４８が出力する裏面４ｂの読取画像データはブロック８２に格納される。１枚目の小切手４の読み取りが完了すると、制御部７０は、ブロック８１、８２に格納された読取画像データをホストコンピューター５に転送する処理を開始し、この間に２枚目の小切手４が表面ＣＩＳユニット４７、裏面ＣＩＳユニット４８の読み取り位置に達すると、２枚目の小切手４の読み取りを開始する。２枚目の小切手４の表面４ａの読取画像データはブロック８３に格納され、裏面４ｂの読取画像データはブロック８４に格納される。２枚目の小切手４の読み取りが完了すると、制御部７０はブロック８３、８４の読取画像データをホストコンピューター５に転送する処理を開始する。ここで、ブロック８１、８２の読取画像データを転送する処理が完了していなければ、この転送処理の完了を待って、ブロック８３、８４の読取画像データを転送する処理が実行される。以後、制御部７０は、３枚目の小切手４を読み取って読取画像データをブロック８５、８６に格納し、４枚目の小切手４を読み取って読取画像データをブロック８７、８８に格納し、これらのブロックに格納された読取画像データは順次ホストコンピューター５に転送される。
【００３６】
５枚目の小切手４を処理する場合、通常はブロック８１、８２に格納された１枚目の小切手４の読取画像データの転送が既に完了しているので、５枚目の小切手４の読取画像データはブロック８１、８２に格納される。このように制御部７０は、複数の小切手４を連続して読み取り、読取画像データをブロック８１〜８８に順次格納するとともに、格納した読取画像データを順にホストコンピューター５に転送する。読取画像データの転送は、他の小切手４を読み取る動作を並行して実行でき、転送が完了した読取画像データは消去或いは上書きしてもよい。このため、５枚目以後の小切手４の読取画像データは、転送が完了したブロックに順次格納される。従って、複合処理装置１は、４枚を超える枚数の小切手４を連続して読み取ることができる。なお、複合処理装置１とホストコンピューター５との間のデータ通信速度が読取画像データの容量に比べて遅い場合には、メモリー８０の容量を大きくしてブロックの数を増やしてもよい。これにより、ホストコンピューター５への読取画像データの転送が終わるまで待つ待ち時間を短縮あるいは解消できる。
【００３７】
ここで、一つの大きなブロック（記憶領域）に複数の小切手４の読取画像データを順次格納し、このブロックから読取画像データを読み出してホストコンピューター５へ転送する処理と、このブロックに次の小切手４の読取画像データを書き込む処理とを並行して行うことも可能であるが、読み取りと書き込みおよび上書きに関する制御が複雑化するため、小切手４の一面毎に対応するブロック８１〜８８を設け、このブロック毎に読取画像データの書き込み、読み出し、転送を行う構成が好適であると言える。
また、本実施形態のように小切手４に対応する複数のブロック８１〜８８を設けた場合、ホストコンピューター５に読取画像データを転送する際に、転送する読取画像データのサイズ、読取画像データが縦方向の読取画像か横方向の読取画像か等の情報を転送前にホストコンピューター５に通知できる。このため、ホストコンピューター５が、既知のデータ量に基づく通信制御を行うことができ、効率よく読取画像データを転送できるという利点もある。
【００３８】
また、ＭＩＣＲバッファー８９（磁気読取データメモリー）は、ＭＩＣＲヘッド３５によって読み取られた磁気波形のデータを一時的に格納するメモリーであり、制御部７０が磁気波形データを解析処理し、或いは磁気波形データをホストコンピューター５に転送するまでのバッファーメモリーとして使用される。プリントバッファー９０（記録データメモリー）は、プリンター制御部７１がインクジェットヘッド１０またはサーマルヘッド６５により印刷させる文字や画像をレイアウトした印刷イメージを展開するバッファーメモリーである。制御部７０は、ホストコンピューター５から印刷を指示するコマンドとともに印刷データを受信し、この印刷データにより指定される文字や画像を指定通りに配置した印刷イメージを生成し、プリントバッファー９０に展開し、このプリントバッファー９０内のイメージをインクジェットヘッド１０またはサーマルヘッド６５により印刷させる。
【００３９】
長尺シート処理モードでは、メモリー８０の全体が、読取画像データを格納する読取画像データ記憶領域９５として使用される。読取画像データ記憶領域９５には、小切手処理モードでＭＩＣＲバッファー８９やプリントバッファー９０として使用される領域を含めることも可能である。本実施形態の複合処理装置１は、シート６に対しては、シート６の表面６ａのみを表面ＣＩＳユニット４７によって読み取り、この一面の読取画像データを読取画像データ記憶領域９５に記憶し、シート６への印刷およびＭＩＣＲ文字の読み取りは行わない。このため、ＭＩＣＲバッファー８９やプリントバッファー９０を設ける必要は無いので、メモリー８０全体を読取画像データ記憶領域９５とすることでメモリーリソースを有効に活用できる。また、複数面の読み取りを行わないため、読取画像データ記憶領域９５は一面に対応した一つの記憶領域となっていればよい。
長尺シート処理モードでは、シート６をストッカー１５に納めることが困難であることから、複数のシート６を連続して処理することは想定されておらず、シート６を１枚ずつ処理する。このため、複数のシート６に対応した複数のブロックをメモリー８０に設ける必要もない。
【００４０】
一例として、小切手処理モードにおいて解像度300dpi、フルカラー、両面の読み取りを行い、長尺シート処理モードで解像度200dpi、グレースケール、片面の読み取りを行う場合を想定する。この場合、同じ大きさあたりの読取画像データのデータ容量を比較すると、小切手処理モードは長尺シート処理モードの９倍のデータ容量となる。つまり、ブロック８１〜８８の全体を１枚のシート６のための読取画像データ記憶領域９５にすると、小切手４の９倍の面積を有するシート６の読取画像データを格納できる。本実施形態では、さらにＭＩＣＲバッファー８９とプリントバッファー９０の容量を読取画像データ記憶領域９５に割り当てるため、より大きいシート６を処理できる。
【００４１】
ところで、上述した例のように、長尺シート処理モードでは、小切手処理モードとは異なる読取解像度やカラーが設定される。これは処理の目的が異なるためであり、例えば小切手４に対する処理は決済目的であるため高品位で詳細な読取画像データを得る必要がある。これに対し、シート６は、例えば複合処理装置１で１日に処理した小切手４の処理結果を、まとめてロール紙に印刷出力したものやジャーナルなど、取引（トランザクション）の記録として出力されるものである。シート６を長尺シート処理モードで読み取る目的は取引１件毎の記録を電子的に保存するためであり、取引の正当性および真実性を担保する小切手処理モードに比べ、読取解像度や読取画像データの品位に対する要求が低い。そこで、長尺シート処理モードでは、小切手処理モードよりも読取画像データの容量が小さくなるように読取条件を変えることができる。
【００４２】
このように、複合処理装置１は、表面ＣＩＳユニット４７及び裏面ＣＩＳユニット４８によって、小切手を読み取る小切手処理モードでは、小切手４を一方向に搬送しながら異なる複数の照射光を選択することで、赤色ＬＥＤ、緑色ＬＥＤ、及び青色ＬＥＤを照射して得られた１面のグレースケール用の読取画像データの取得と記憶、赤外線ＬＥＤを照射して得られた１面の赤外線用の読取画像データの取得と記憶、紫外線ＬＥＤを照射して得られた１面の紫外線用の読取画像データの取得と記憶が、表面と裏面の面単位でそれぞれ可能であり、またこれらを組み合わせて取得し記憶することも可能な構成となる。また、この場合、シート６を読み取る長尺シート処理モードでは、小切手４に比べ一面当りの読取画像データが多くなるが、表面ＣＩＳユニット４７または裏面ＣＩＳユニット４８の少なくとも一方を用い、少なくとも一の照射光により、少なくとも一面の読取画像データを取得して記憶することにより、小切手４を読み取る際に使用するメモリー８０の記憶領域内に設定された読取画像データ記憶領域９５に、読取画像データを記憶できる。この場合、一面の読取画像データを取得すればよいので、表面ＣＩＳユニット４７及び裏面ＣＩＳユニット４８のいずれか一方において、赤色ＬＥＤ、緑色ＬＥＤ、青色ＬＥＤ、赤外線ＬＥＤ、及び紫外線ＬＥＤのうちいずれか一つの照射光を照射して１面の読取画像データを取得するか、赤色ＬＥＤ、緑色ＬＥＤ、及び青色ＬＥＤを照射して１面のグレースケールを取得するようにすればよい。
【００４３】
また、長尺シート処理モードでは、小切手４に比べて非常に長いシート６を処理することも想定されるので、停止スイッチ７８（図３）の操作を有効とし、オペレーターの操作に応じて搬送を停止できるようにすることが好ましい。これに対し小切手処理モードでは通常の搬送エラー検出動作で十分に対処できるので停止スイッチ７８を有効にする必要性は小さい。搬送エラー自体を少なくするため、長尺シート処理モードでは小切手処理モードよりも搬送速度を遅く設定することも好ましい。
【００４４】
このような条件の違いを実現するため、複合処理装置１は、制御部７０が有するフラッシュＲＯＭ内に、動作モード毎の読取条件および動作条件の設定値を格納した設定値テーブル７７を記憶している。
図５には、設定値テーブル７７の構成を模式的に示す。この図５に例示するように、設定値テーブル７７には、小切手処理モードと長尺シート処理モードの各々について、読取条件として読取面の数、読取カラー、読取解像度が設定されている。小切手処理モードのカラーはホストコンピューター５から受信するコマンドにより、フルカラー＋ＩＲ、フルカラー＋ＵＶ、グレースケール＋ＩＲ、グレースケール＋ＵＶのいずれかに設定可能であるため、設定値テーブル７７に複数の値が含まれる。また、設定値テーブル７７には、複合処理装置１の動作条件として、搬送速度、搬送異常検出の基準値、および停止スイッチ７８の操作に応じた搬送停止を有効とするか無効とするかが設定されている。
【００４５】
複合処理装置１は、搬送手段の搬送中に、用紙長検出器３８の検出値と搬送量とを監視し、搬送量が十分な量に達しているにもかかわらず用紙長検出器３８の検出値が変化しない場合に、搬送エラーを検出する機能を有する。用紙長検出器３８の検出値の変化は小切手４またはシート６の先端または後端が用紙長検出器３８の検出位置に達したことを示すので、検出値が変化しない場合には搬送路Ｗでジャムが発生したか、ストッカー１５から読取対象物を取り込めなかったことが想定される。小切手処理モードと長尺シート処理モードでは処理する読取対象物の搬送方向のサイズが明らかに異なるので、これに合わせて、上記のように搬送異常（エラー）を検出する基準となる搬送量が、処理される読取対象物のサイズに合わせて設定される。
このように、長尺シート処理モードと小切手処理モードでは、メモリー８０の構成、読取条件や動作条件が変更されるので、メモリー８０を効率よく使用して処理効率を高めるとともに、小切手４の処理に最適な複合処理装置１の構成において長尺のシート６の読み取りを可能にしている。
【００４６】
図６〜図８は、複合処理装置１の動作を示すフローチャートであり、図６は、小切手処理モードと長尺シート処理モードとを切り替える動作を示し、図７は小切手処理モードの動作を示し、図８は長尺シート処理モードの動作を示す。
図６に示すように、複合処理装置１の制御部７０は、ホストコンピューター５から動作モードの切替を指示するコマンドを受信すると（ステップＳ１１）、受信したコマンドが指示する動作モードが現在の動作モードと一致するかどうかに基づいて、動作モードの変更が必要かどうかを判別する（ステップＳ１２）。ここで、動作モードを変更する必要がない場合は（ステップＳ１２；Ｎｏ）、本処理を終了する。動作モードの変更が必要な場合（ステップＳ１２；Ｙｅｓ）、制御部７０は、変更後の動作モードに対応する設定値テーブル７７の各設定項目の設定値を読み出して、設定の変更を行い（ステップＳ１３）、動作モードの切替を実行する（ステップＳ１４）。
【００４７】
なお、図６に示す処理で、ステップＳ１３〜Ｓ１４の動作に代えて、制御部７０内のＲＡＭに格納されるメモリースイッチを切り替えてもよい。この場合、制御部７０は、小切手処理モードで図７の処理を開始する際、および、長尺シート処理モードで図８の処理を開始する際に、現在の動作モードに対応する設定値テーブル７７の設定値を読み出すことで、動作モードに応じた読取条件および動作条件に従って動作を行うことができる。
【００４８】
小切手処理モードでは、図７に示すように、制御部７０は、ホストコンピューター５から小切手４の処理開始を指示するコマンドを受信すると（ステップＳ２１）、ホッパー位置検出器３２の検出値や、ＡＳＦ用紙検出器３１の検出値を監視しつつ、ホッパー駆動モーター２６や、ＡＳＦモーター２７を駆動して、小切手４を搬送路Ｗに繰り出して、小切手４の搬送を開始する（ステップＳ２２）。
次いで、制御部７０は、用紙長検出器３８の検出値を監視することにより小切手４の位置を管理しつつ、ＭＩＣＲヘッド３５によって、小切手４の磁気インク文字列４ｃを読み取る（ステップＳ２３）。
ここで、制御部７０は、ＡＳＦ用紙検出器３１の検出値に基づいて次の小切手４が搬送可能であるか否かを判別し（ステップＳ２４）、次の小切手４がストッカー１５にセットされている場合は（ステップＳ２４；Ｙｅｓ）、この小切手４の搬送を開始し（ステップＳ２５）、ステップＳ２６に移行する。また、次の小切手４が搬送可能でない場合には（ステップＳ２４；Ｎｏ）、そのままステップＳ２６に移行する。これにより、複合処理装置１は、複数の小切手４を連続的に処理する。
【００４９】
ステップＳ２６で、制御部７０は、ＭＩＣＲヘッド３５の読み取り結果に基づいて、小切手４が上下裏表逆にセットされることなく、正しくセットされているか否かを判別し、この判別結果に基づいて、切替板駆動モーター５５を駆動して、切替板５４を切り替える。すなわち、制御部７０は、小切手４が正しくセットされている場合は、切替板５４をメインポケット１９ａ側に切り替え、一方、小切手４が正しくセットされていない場合は、切替板５４をサブポケット１９ｂ側に切り替える。
【００５０】
次いで、制御部７０は、中間検出器４６の検出値を監視することにより小切手４の位置を監視しつつ、搬送モーター４２の駆動により各種モーターを駆動して小切手４を搬送し、インクジェットヘッド１０により、小切手４の裏面４ｂに所定の画像を記録する（ステップＳ２７）。なお、小切手４が正しくセットされていない場合は、ステップＳ２７において、画像の記録を行わないようにしてもよい。
次いで、制御部７０は、表面ＣＩＳユニット４７による小切手４の表面４ａのスキャンと、裏面ＣＩＳユニット４８による裏面４ｂのスキャンを開始し（ステップＳ２８）、表面４ａの読取画像データと裏面４ｂの読取画像データを、メモリー８０に形成されたブロック８１〜８８のうち対応するブロックにそれぞれ格納する（ステップＳ２９）。制御部７０は、処理中の小切手４のスキャンが完了するまでの間は（ステップＳ３０；Ｎｏ）、ステップＳ２９の処理を継続する。そして、スキャンが完了すると（ステップＳ３０；Ｙｅｓ）、読取画像データのホストコンピューター５への転送を開始するとともに（ステップＳ３１）、排出検出器５２の検出値を監視することにより小切手４が正常に排紙されたか否かを監視しつつ、搬送モーター４２を駆動することにより各種モーターを駆動して小切手４をポケット１９に排出する（ステップＳ３２）。その際、小切手４は、切替板５４に導かれてメインポケット１９ａ、サブポケット１９ｂのうちＭＩＣＲヘッド３５の読み取り結果に応じた適切なポケット１９に排出される。
【００５１】
その後、制御部７０は、全ての小切手４の処理が完了したか否かを判別し（ステップＳ３３）、まだ処理が完了していない小切手４が搬送路Ｗ上またはストッカー１５内に残っている場合には（ステップＳ３３；Ｎｏ）、これらの小切手４に対してステップＳ２３〜Ｓ３２の処理を継続して実行する（ステップＳ３４）。そして、全ての小切手４の処理が完了すると（ステップＳ３３；Ｙｅｓ）、制御部７０はホストコンピューター５から入力されるコマンドに対する待機状態に移行して（ステップＳ３５）、本処理を終了する。
【００５２】
これに対し、長尺シート処理モードでは、図８に示すように、制御部７０は、ホストコンピューター５からシート６の処理を指示するコマンドを受信すると（ステップＳ４１）、メモリー８０の全記憶領域を一つの読取画像データ記憶領域９５（図４（Ｂ））に設定する（ステップＳ４２）。次いで、制御部７０は、ホッパー駆動モーター２６やＡＳＦモーター２７を駆動して、シート６を搬送路Ｗに引き込み、シート６の搬送を開始する（ステップＳ４３）。
制御部７０は、切替板駆動モーター５５を駆動して、切替板５４の位置を、長尺シート処理モード用の位置に切り替える（ステップＳ４４）。長尺シート処理モードでは１枚ずつシート６を処理するため、処理の正否に応じたポケット１９の使い分けを行う必要がないので、メインポケット１９ａとサブポケット１９ｂのうち予め指定された側のポケットにシート６を排出する。
【００５３】
制御部７０は、表面ＣＩＳユニット４７によるシート６の表面６ａのスキャンを開始し（ステップＳ４５）、表面６ａの読取画像データを読取画像データ記憶領域９５に格納する（ステップＳ４６）。制御部７０は、処理中の小切手４のスキャンが完了するまで処理を継続し、スキャンが完了するまでの間は（ステップＳ４７；Ｎｏ）、ステップＳ４６の処理を継続する。ステップＳ４５でスキャンを開始してから、シート６の先端がポケット１９に達し、シート６の排出が行われる。シート６の長さは搬送路Ｗの長さよりも長いため、スキャンと並行して排出が行われる。ステップＳ４７で、制御部７０は、例えば、中間検出器４６の検出値に基づいてシート６の終端を検出し、終端検出から表面ＣＩＳユニット４７までの距離に相当する搬送量を搬送したところでスキャンが完了したと判別する。或いは、制御部７０は、表面ＣＩＳユニット４７が出力する読取画像データにおいて、所定の長さの黒一色のデータが検出されたところでスキャンが完了したと判別する。
制御部７０は、スキャンが完了すると（ステップＳ４７；Ｙｅｓ）、読取画像データのホストコンピューター５への転送を開始する（ステップＳ４８）。その後、制御部７０は、排出検出器５２の検出値に基づいてシート６の全体の排出が完了したか否かを判別し（ステップＳ４９）、排出が完了するまでは（ステップＳ４９；Ｎｏ）待機し、排出が完了すると（ステップＳ４９；Ｙｅｓ）、ホストコンピューター５から入力されるコマンドに対する待機状態に移行して（ステップＳ５０）、本処理を終了する。
【００５４】
以上説明したように、本発明を適用した実施形態に係る複合処理装置１によれば、読取対象のシート（小切手４及びシート６を含む）を搬送する搬送手段と、小切手４の搬送路Ｗ上に設けられ、異なる複数の照射光の光源を有し、搬送手段により搬送されるシートの複数面を読み取り可能な表面ＣＩＳユニット４７および裏面ＣＩＳユニット４８と、表面ＣＩＳユニット４７および裏面ＣＩＳユニット４８により読み取られた少なくともシートの複数面を含む読取画像データを記憶可能なメモリー８０と、シートとして小切手４を読み取る小切手処理モードと、小切手４よりも搬送方向のサイズが大きいシート６を搬送手段により搬送して読み取る長尺シート処理モードとを切り替えて実行し、長尺シート処理モードでは、少なくとも一の照射光を照射し長尺のシート６の少なくとも一面の読取画像データをメモリー８０に記憶させる制御部７０とを備えるので、異なる複数の照射光により小切手４を読み取って複数面の画像データを記憶可能な構成とされた複合処理装置１によって、メモリー８０を効率的に活用して、少なくとも一の照射光を照射し、小切手４より搬送方向のサイズが大きいシート６の少なくとも一面の読み取りが可能となる。
【００５５】
また、表面ＣＩＳユニット４７および裏面ＣＩＳユニット４８は、小切手４および長尺のシート６の複数面を、異なる複数の照射光の選択により、フルカラー、グレースケール、赤外線読み取り、および紫外線読み取りのうち少なくとも複数の読取方式で読み取り可能に構成され、メモリー８０は、小切手４の複数面を、表面ＣＩＳユニット４７および裏面ＣＩＳユニット４８により複数の読取方式で読み取った読取画像データを記憶可能な記憶領域であるブロック８１〜８８を有する。このため、異なる複数の照射光の選択により、小切手４をフルカラー（赤色（Ｒ）ＬＥＤ、緑色（Ｇ）ＬＥＤ、青色（Ｂ）ＬＥＤによりそれぞれ照射）、グレースケール（赤色（Ｒ）ＬＥＤ、緑色（Ｇ）ＬＥＤ、青色（Ｂ）ＬＥＤにより照射）、赤外線読み取り（赤外線ＬＥＤ照射）、および紫外線読み取り（紫外線ＬＥＤ照射）のうち少なくとも複数の読取方式で読み取ることが可能であり、かつ、小切手４よりも搬送方向のサイズが大きいシート６の読み取りが可能となる。また、複数の読取方式に対応することで大容量となる小切手４の読取画像データを記憶可能に構成することで、小切手４よりも搬送方向のサイズが大きいシート６の読取画像を記憶することが可能となり、より大きなシート６を読み取ることができる。
【００５６】
また、シートの表面用の表面ＣＩＳユニット４７と、シートの裏面用の裏面ＣＩＳユニット４８は、それぞれ、赤色ＬＥＤ、緑色ＬＥＤ、青色ＬＥＤ、赤外線ＬＥＤ、紫外線ＬＥＤを備えており、複合処理装置１は、シートを一方向に搬送しながら、表面ＣＩＳユニット４７及び裏面ＣＩＳユニット４８によって、それぞれの照射光を選択的にシートに照射して、複数の読取画像データを、例えばＲの表面など、面単位で読取画像データを取得してメモリー８０に記憶することが可能である。これにより、小切手を読み取る小切手処理モードでは、異なる複数の照射光を選択することで、赤色ＬＥＤ、緑色ＬＥＤ、青色ＬＥＤをそれぞれ照射して得られた３面のフルカラー用の読取画像データの取得と記憶、赤色ＬＥＤ、緑色ＬＥＤ、及び青色ＬＥＤを照射して得られた１面のグレースケール用の読取画像データの取得と記憶、赤外線ＬＥＤを照射して得られた１面の赤外線用の読取画像データの取得と記憶、紫外線ＬＥＤを照射して得られた１面の紫外線用の読取画像データの取得と記憶が、表面と裏面の面単位でそれぞれ可能であり、またこれらを組み合わせて取得し記憶することも可能である。
また、この場合、小切手４よりも搬送方向のサイズが大きいシート６を読み取る長尺シート処理モードでは、小切手４に比べ一面当りの読取画像データが多くなるが、少なくとも一の照射光により少なくとも一面の読取画像データを取得して記憶することにより、小切手４を読み取る際に使用するメモリー８０の記憶領域内に設定された読取画像データ記憶領域９５に、読取画像データを記憶できる。この場合、一面の読取画像データを取得すればよいので、表面ＣＩＳユニット４７及び裏面ＣＩＳユニット４８のいずれか一方において、赤色ＬＥＤ、緑色ＬＥＤ、青色ＬＥＤ、赤外線ＬＥＤ、及び紫外線ＬＥＤのうちいずれか一つの照射光を照射して１面の読取画像データを取得するか、赤色ＬＥＤ、緑色ＬＥＤ、及び青色ＬＥＤを照射して１面のグレースケールを取得するようにすればよい。
【００５７】
また、複合処理装置１はホストコンピューター５に接続可能であり、制御部７０は、ホストコンピューター５から受信したコマンドに従って、小切手処理モードと長尺シート処理モードとを切り替えるので、ホストコンピューター５によって複合処理装置１の動作モードを容易に切り替えさせることができる。
複合処理装置１は、搬送手段による搬送を停止させる操作を行うための停止スイッチ７８を備え、制御部７０は、長尺シート処理モードの実行時には停止スイッチ７８による操作を有効として、停止スイッチ７８の操作に応じて搬送手段による搬送を停止させるので、シート６のジャム等の搬送トラブルが発生した場合に速やかに対応し、トラブル発生時のシート６の損傷等を回避できる。また、搬送方向のサイズが大きいシート６では搬送トラブルの影響が大きくなり易いため、長尺シート処理モードで搬送を停止させる操作を有効にすることにより、効果的に搬送トラブルへの対処を可能とする。
【００５８】
さらに小切手４に磁気的に記録された情報を読み取るＭＩＣＲヘッド３５と、ＭＩＣＲヘッド３５により読み取られた磁気読取データを記憶するＭＩＣＲバッファー８９と、小切手４に記録を行うインクジェットヘッド１０と、インクジェットヘッド１０により記録するデータを記憶するプリントバッファー９０とを備え、制御部７０は、長尺シート処理モードでは、長尺のシート６の一面の読取画像データを、ＭＩＣＲバッファー８９およびプリントバッファー９０少なくともいずれかに対しても、読取画像データ記憶領域９５に組み入れて読取画像データを記憶させるので、長尺シート処理モードでは使用しないＭＩＣＲバッファー８９およびプリントバッファー９０を活用してシート６の読取画像データを記憶する。これにより、メモリー８０を効率よく活用し、より大きいサイズのシート６の読み取りを可能とすることができる。
また、制御部７０は、小切手処理モードと長尺シート処理モードでは、表面ＣＩＳユニット４７および裏面ＣＩＳユニット４８の読取解像度、および、搬送手段による搬送速度の少なくともいずれかを変更するので、小切手４の読み取りに適した装置構成においても、大きいサイズのシート６をスムーズに読み取ることができる。
【００５９】
なお、上述した実施の形態は、あくまでも本願発明の一態様を示すものであり、本願発明の範囲内で任意に変形および応用が可能である。
例えば、上述した実施形態では、複合処理装置１が長尺シート処理モードにおいてシート６の一面のみを読み取る構成として説明したが、本発明はこれに限定されるものではなく、シート６の両面を読み取ってもよい。同様に、図５に例示した設定値テーブル７７における各条件はあくまで一例であって、メモリー８０のサイズや、複合処理装置１が処理する小切手４とシート６のサイズ等に合わせて適宜変更可能である。
例えば、上述した実施形態では、複合処理装置１は、搬送路Ｗ上に、ＭＩＣＲヘッド３５、インクジェットヘッド１０、及び、ＣＩＳユニットが順次配置された構造であったが、装置の配置順番や、装置の具体的構造は、これに限らない。すなわち、本発明は、媒体を搬送する搬送部と、搬送部により搬送される媒体の情報を読み取る読取部と、搬送部により搬送される媒体に記録する記録部とを備える媒体処理装置に広く適用可能である。
また例えば、図３に示す各機能ブロックはハードウェアとソフトウェアの協働により任意に実現可能であり、特定のハードウェア構成を示唆するものではない。
また例えば、制御部７０の機能を、複合処理装置１に外部接続される別の装置に持たせるようにしてもよい。
また、外部接続される記憶媒体に記憶させたプログラムを実行することにより、図６〜図８で示した各フローチャートの各ステップを実行するようにしてもよい。
【符号の説明】
【００６０】
１…複合処理装置（読取装置）、４…小切手、４ａ…表面、４ｂ…裏面、５…ホストコンピューター（外部の装置）、６…シート、６ａ…表面、８…読取システム、１０…インクジェットヘッド（記録手段）、１９…ポケット、２９…ＡＳＦローラー、３５…ＭＩＣＲヘッド（磁気読取手段）、３６…ＭＩＣＲローラー、３７…アシストローラー、４０…第１搬送ローラー、４１…第２搬送ローラー、４２…搬送モーター、４４…インクジェットプリンターユニット、４６…中間検出器、４７…表面ＣＩＳユニット（読取手段）、４８…裏面ＣＩＳユニット（読取手段）、５０…第１ＣＩＳローラー、５１…第２ＣＩＳローラー、７０…制御部（読取制御手段）、７７…設定値テーブル、７８…停止スイッチ、８０…メモリー、８１〜８８…ブロック、８９…ＭＩＣＲバッファー（磁気読取データメモリー）、９０…プリントバッファー（記録データメモリー）、９５…読取画像データ記憶領域、Ｗ…搬送路。
【図１】
2013074478.tif 000003
【図２】
2013074478.tif 000004
【図３】
2013074478.tif 000005
【図４】
2013074478.tif 000006
【図５】
2013074478.tif 000007
【図６】
2013074478.tif 000008
【図７】
2013074478.tif 000009
【図８】
2013074478.tif 000010